(57)【要約】【課題】周長の大きく異なる運搬物にも対応することができるようにすること。【解決手段】積載台上に積載された運搬物に巻回して用いる荷崩れ防止ベルトであって、所定の長さと幅員を有する本体ベルト１と、本体ベルト１の長さ方向の一端の上部、下部とに固定されたほぼ本体ベルト１の幅員を有する保形芯材５と、本体ベルト１の長さ方向の中ほどに設けられた開口部１１と、該開口部１１の中ほどの本体ベルト１の上部、下部とに固定された、ほぼ本体ベルト１の幅員を有する保形芯材４と、本体ベルト１の長さ方向の他端のほぼ中央部に固定された、本体ベルト１の幅員より狭い幅の締め付けベルト３と、締め付けベルト３を前記いずれかの保形芯材４、５に通して折り返したときに該折り返した締め付けベルト３を固着するために締め付けベルト３と本体ベルト１に設けられた面ファスナー９、１０とを備える。【選択図】図１
2008189354.tif 000002
【特許請求の範囲】
【請求項１】
積載台上に積載された運搬物に巻回して用いる荷崩れ防止ベルトであって、
所定の長さと幅員を有する本体ベルトと、
前記本体ベルトの長さ方向の一端の上部、下部とに固定されたほぼ前記本体ベルトの幅員を有する保形芯材と、
前記本体ベルトの長さ方向の中ほどに設けられた開口部と、
該開口部の中ほどの前記本体ベルトの上部、下部とに固定された、ほぼ前記本体ベルトの幅員を有する保形芯材と、
前記本体ベルトの長さ方向の他端のほぼ中央部に固定された、前記本体ベルトの幅員より狭い幅の締め付けベルトと、
前記締め付けベルトを前記いずれかの保形芯材に通して折り返したときに該折り返した前記締め付けベルトを固着するために前記締め付けベルトと前記本体ベルトに設けられた面ファスナーとを備えることを特徴とした荷崩れ防止ベルト。
【請求項２】
前記締め付けベルトを前記開口部の中ほどの保形芯材に通して前記本体ベルトの一端を折り返したとき、前記折り返した本体ベルトを前記折り返えさない本体ベルトに固着するための面ファスナーを備えることを特徴とした請求項１記載の荷崩れ防止ベルト。
【発明の詳細な説明】
【技術分野】
【０００１】
本発明は、主として荷役用パレット上に積載された各種の運搬物の荷崩れを防止する荷崩れ防止ベルトに関するもので、特に運搬物の周囲を簡便に巻き締め、且つ着脱容易な荷崩れ防止用の締め具に関するものである。
【背景技術】
【０００２】
従来から運搬物の荷崩れを防止するために、透明合成樹脂製フィルム材を複数周回巻きすることが行われていたが、これらは使い捨てのため、廃棄焼却時に有害ガスを発生する等の公害問題が発生していた。
【０００３】
そのため、企業の荷役配送では、環境保護の観点から再利用可能な荷崩れ防止ベルトが多用されるようになってきた。
【０００４】
従来、所定幅員の帯状の荷崩れ防止ベルトとして、例えば、特許文献１〜５等がある。これらはいずれも運搬物の周囲を巻回して、適宜な締結手段によってベルト本体の端部相互を連結し運搬物の周囲を締結するものであった。これらの荷崩れ防止ベルトは、いずれも繰り返し使用でき、また結束時の安定性が得られるように、考えられたものであった。
【特許文献１】特開２００１−１２２２６６号公報
【特許文献２】特開２００３−０５４６２５号公報
【特許文献３】特開２００４−１４２８０４号公報
【特許文献４】特開２００４−１８９２９２号公報
【特許文献５】特開２００４−３３８８０１号公報
【発明の開示】
【発明が解決しようとする課題】
【０００５】
前記従来の荷崩れ防止ベルトは、いずれも繰り返し使用でき、また、結束時の安定性が得られるように、考えられたものであるが、その長さは可変ではなく、周長が所定の大きさと大きく異なった運搬物には、対応できなかった。
【０００６】
本発明は、このような課題を解決するために、ベルトの長さを容易に調整することを可能にし、周長が大きく異なる運搬物であっても使用できるようにした荷崩れ防止用ベルトを提供することを目的とする。
【課題を解決するための手段】
【０００７】
図１は本発明の荷崩れ防止ベルトの説明図である。図１中、１は本体ベルト、２は本体ベルト１の折り返し部、３は締め付けベルト、４、５、６、１３は保形芯材、７、８、９、１０は面ファスナー、１１は本体ベルト中ほどの開口部、１２、１４は端の開口部、１６は保形芯材５、１３を固定するための補強材である。
【０００８】
本発明は、上記の課題を解決するため次のように構成した。
【０００９】
（１）積載台上に積載された運搬物に巻回して用いる荷崩れ防止ベルトであって、所定の長さと幅員を有する本体ベルト１と、前記本体ベルト１の長さ方向の一端の上部、下部とに固定されたほぼ前記本体ベルト１の幅員を有する保形芯材５と、前記本体ベルト１の長さ方向の中ほどに設けられた開口部１１と、該開口部１１の中ほどの前記本体ベルト１の上部、下部とに固定された、ほぼ前記本体ベルト１の幅員を有する保形芯材４と、前記本体ベルト１の長さ方向の他端のほぼ中央部に固定された、前記本体ベルト１の幅員より狭い幅の締め付けベルト３と、前記締め付けベルト３を前記いずれかの保形芯材４、５に通して折り返したときに該折り返した前記締め付けベルト３を固着するために前記締め付けベルト３と前記本体ベルト１に設けられた面ファスナー９、１０とを備える。このため、締め付けベルト３を前記本体ベルト１の長さ方向の一端の保形芯材４を通して締め付けるか、本体ベルト中ほどの開口部１１の保形芯材５を通して締め付けるかにより周長の大きく異なる運搬物（短い運搬物にも長い運搬物にも）対応することができ、また、長さの微調整は締め付けベルト３の折り返し長さを調整することで可能である。
【００１０】
（２）：前記（１）の荷崩れ防止ベルトにおいて、前記締め付けベルト３を前記開口部１１の中ほどの保形芯材４に通して前記本体ベルト１の一端を折り返したとき、前記折り返した本体ベルト２を前記折り返えさない本体ベルト１に固着するための面ファスナー７、８を備える。このため、周長の短い運搬物に対して、折り返した本体ベルト２が邪魔になることはない。
【発明の効果】
【００１１】
本発明によれば次のような効果がある。
【００１２】
（１）：締め付けベルトを本体ベルト長さ方向の一端の保形芯材か中ほどの保形芯材のいずれかに通して折り返した締め付けベルトを固着するための面ファスナーを備えるため、締め付けベルトを前記本体ベルトの長さ方向の一端の保形芯材を通して締め付けるか、本体ベルトの中ほどの保形芯材を通して締め付けるかにより周長の大きく異なる運搬物（短い運搬物にも長い運搬物にも）にも対応することができ、また、長さの微調整は締め付けベルトの折り返し長さを調整することで可能である。
【００１３】
（２）：締め付けベルトの本体ベルトの中ほどの保形芯材に通して本体ベルトの一端を折り返したとき、前記折り返した本体ベルトを前記折り返えさない本体ベルトに固着するための面ファスナーを備えるため、周長の短い運搬物に対して、折り返した本体ベルトが邪魔になることはない。
【発明を実施するための最良の形態】
【００１４】
本発明にあっては、折り返して締め付けるための締め付けベルトと締め付け後に締め付けベルトを本体ベルトに固定する面ファスナーと、締め付けベルトを通すと同時にベルトの端部の形状を保持するため本体ベルトの両端に縫い込まれたグラスファイバ（ＦＲＰ）製などの中空パイプの保形芯材、さらに、本体ベルトを短くして使用するため本体ベルトの中ほどに設けられた開口部と中空パイプの保形芯材、及び、未使用の端部を固定する面ファスナーにより構成される。
【００１５】
以下、図面を参照して本発明の実施の形態を説明する。
【００１６】
（１）：荷崩れ防止ベルトの説明
図１は本発明の荷崩れ防止ベルトの説明図である。図１において、荷崩れ防止ベルトには、所定幅員を有する本体ベルト１と本体ベルト１の折り返し部２と締め付けベルト３が設けてある。そして、折り返して締め付けるための締め付けベルト３と、締め付け後に締め付けベルト３を本体ベルト１に固定する面ファスナー９、１０と、締め付けベルト３を通すと同時にベルトの端部の形状を保持するため本体ベルト１の両端に縫い込まれたグラスファイバ（ＦＲＰ）製などの中空パイプ保形芯材５、６、さらに、本体ベルト１を短くして（本体ベルト１の折り返し部２を折り返すため）使用するためベルトの中ほどに設けられた開口部１１と中空パイプ保形芯材４、及び、未使用の端部を固定する面ファスナー７、８により構成される。
【００１７】
本体ベルト１は、運搬物の荷崩れを防ぐため所定幅員と長さを有するポリエステル繊維などの運搬時の引張衝撃に耐えうる強靱性を備えたものである。折り返し部２は、本体ベルト１を短くするための折り返し部である。締め付けベルト３は、本体ベルト１の一端の中央部に固定され、本体ベルト１の幅より狭く、中空パイプ保形芯材４又は中空パイプ保形芯材５で折り返して締め付けるための締め付け手段となるものである。なお、締め付けベルト３の端部には、開口１４ができるように中空パイプ保形芯材１３が固定され、手で保形芯材１３を持ち、締め付けベルト３を引っ張ることができる。
【００１８】
中空パイプ保形芯材４は、本体ベルト１の折り返し部２の折り目となる場所（開口部１１の中央）に固定され、グラスファイバ（ＦＲＰ）製などでベルトの形を保持するための中空パイプの芯材である。なお、この開口部１１と中空パイプ保形芯材４の位置を変えることにより、荷崩れ防止ベルトを短くして使用する時の長さを調節することができる。中空パイプ保形芯材５は、本体ベルト１の折り返し部２の一端に設けられ、グラスファイバ（ＦＲＰ）製などで折り返し部２の端部の形を保持するための中空パイプの芯材である。中空パイプ保形芯材６は、本体ベルト１と締め付けベルト３との接続部に設けられ、グラスファイバ（ＦＲＰ）製などで本体ベルト１及び締め付けベルト３の端部の形を保持するための中空パイプの芯材である。
【００１９】
面ファスナー７、８は、本体ベルト１の折り返し部２である未使用時（ベルトを短くして使う時）の端部を固定するためのものであり、ここでは面ファスナー７が雄型であり、面ファスナー８が雌型である（なお、雄雌は逆でも良い）。面ファスナー９（ここでは雄型）は、締め付けベルト３の本体ベルト１側とは逆側の一端に固定されている。面ファスナー１０（ここでは雌型）は、締め付けベルト３の面ファスナー９の端からパイプ保形芯材６までと、更に中空パイプ保形芯材６から本体ベルト１の途中まで（ほぼ締め付けベルト３の長さ程度）設けられている。なお、面ファスナー９、１０の雄、雌のタイプは逆でも良い。
【００２０】
開口部１２は、締め付けベルト３を中空パイプ保形芯材６に通すための開口である。開口部１４は、締め付けベルト３で締め付ける時に中空パイプ保形芯材１３を手で持つための開口である。
【００２１】
図２は断面図である。保形芯材４、５、１３等は、本体ベルトや締め付けベルト３に直接縫い付け等で固定してもよいが、図２のように補強材を用いて固定することができる。図２の（Ａ）断面は、図１の断面（Ａ）の断面図である。この断面（Ａ）には、保形芯材４が上部の補強材と下部の本体ベルト１（及び折り返し部２）で挟んで固定（保形芯材６の左右を縫い付け）されている。
【００２２】
図２の（Ｂ）断面は、図１の断面（Ｂ）の断面図である。この断面（Ｂ）には、保形芯材５が補強材１６により固定されている。この補強材１６は、本体ベルト１の折り返し部２の端部を上下部で挟んで固定（縫い付け）されている。
【００２３】
（２）：使用方法の説明
通常の使用方法（荷崩れ防止ベルトを長くして用いる場合）については、締め付けベルト３を手に持ち、本体ベルト１の折り返し部２の端部の保形芯材５に通して折り返し、逆方向に力を加えて締め付けることで、加えた力の２倍の引張力で本体ベルト１を締め付け、その状態で、締め付け固定ベルト３の雄（雌）面ファスナー９を本体ベルトの雌（雄）面ファスナー１０に固着し固定する。本体ベルトの両端に縫い込まれた保形芯材５、６は、締め付けベルト３で引張ったときにベルト全体に一様に力が掛かり本体ベルトに引張り皺がでないようにする役割も担っている。
【００２４】
次に、荷崩れ防止ベルトを短くして使用する場合には、本体ベルト１の中ほどに設けられた開口部１１と中空パイプ保形芯材４が端となるように折り返し、余った本体ベルト１の端部である折り返し部２は、面ファスナー８を本体ベルト１の面ファスナー７に固着して固定するようにする。そして、運搬物の締め付けは、締め付けベルト３を手に持ち、本体ベルト１の保形芯材４に通して折り返し、逆方向に力を加えて締め付けることで、通常の使用方法と同様に行うことができる。
【００２５】
上述したように、端部だけでなく中央部にも締め付けベルト３の折り返し部（保形芯材４）を設けることにより、ベルトの長さを大きく変更でき、細かい調整は、締め付けベルトの折り返し長を変えることで可能となる。このことにより様々な周長の運搬物に使用できる。
【００２６】
（３）：運搬物に使用する場合の説明
図３は通常の長さで使用する場合の説明図である。図３において、パレット２０上に複数のダンボール箱等の運搬物２１が段積み状（図３の例では２段）に積載され、荷崩れ防止ベルトがほぼ水平方向に巻回される。
【００２７】
荷崩れ防止ベルトの本体ベルト１は所定幅員を有するものであり、運搬物２１は荷役用のパレット２０の所謂積載台上に段積み状に積載されたダンボール箱などの運搬する物である。本発明の荷崩れ防止ベルトは、パレット２０に積載された運搬物２１全体をほぼ水平方向で巻回装着するに足りる長さと幅員とを備えた帯状に形成されたものである。すなわち、この本体ベルト１は、運搬物２１をほぼ水平方向で巻回装着する場合には、段積みされた運搬物２１の上下方向で荷崩れを防止するに足る十分な幅員と、運搬物２１を周回し締めるために足る十分な長さとを備えたものとなっており、これの形成素材は例えばポリエステル繊維などを用いて運搬時の引張衝撃に耐えうる強靱性を備えたものとなっている。
【００２８】
また、この本体ベルト１には、運搬物２１を巻回装着した後の端部同士を引き締めるための締め付けベルト３を有している。図３の例における締め付け手段である締め付けベルト３は、本体ベルト１を運搬物２１の周囲に巻回した後に、本体ベルト１の一端に備え付けられた締め付けベルト３を、本体ベルト１のもう一端に備え付けられた保形芯材５に通し、折り返して締め付けるためのものである。この締め付け手段で締め付けた状態で、締め付けベルト３の面ファスナー雄（雌）９を同端の面ファスナー雌（雄）１０に張り合わせ固定することで運搬物を十分に締め付け固定し、運搬物２１の荷崩れを防止することができる。
【００２９】
また、本体ベルト１の両端部には、締め付けベルト３によりに締め付けたときに引張り皺を防止し本体ベルト１の形状を維持するため、本体ベルト１の幅員方向に保形芯材４、５、６を縫い込んである。
【００３０】
図４は短い長さで使用する場合の説明図である。図４において、パレット２０上に複数のダンボール箱等の運搬物２１が段積み状（図４の例では２段）に積載され、荷崩れ防止ベルトがほぼ水平方向に巻回されるものである。
【００３１】
周長の短い運搬物にたいしては、本体ベルト１の中ほどに設けられたもう一つの開口部の保形芯材４で本体ベルト１を折り返し、図３と同様に締め付けベルト３で締め付ける。そのとき、使用しない本体ベルト１の端部（折り返し部２）は、同部の面ファスナー８と本体ベルト１に備えられた面ファスナー７とを張り合わせ固定する。さらに、長さの微調整は、締め付けベルト３の折り返し長さを調整することで可能である。
【００３２】
このようにして、荷崩れ防止ベルトは、荷崩れを防止するために様々な周長の運搬物に適用できることとなる。
【００３３】
また、長さの調整部分を複数段階に設けることで、より大きな長さの調整も可能である。例えば、図１の荷崩れ防止ベルトにおいて、更に本体ベルト１に第２の開口部１１と保形芯材４を左側に追加し、この追加した保形芯材４で本体ベルト１を折り返す（本体ベルト側に面ファスナーの追加も必要）ことで、より周長の短い運搬物に対応が可能となる。この場合は３段階の大きな調整ができることとなる。
【００３４】
本発明はこのように構成されているため、例えば、ダンボール箱や袋状の段積みされた積載物の周囲を巻回装着することで、簡便に運搬時などの荷崩れを防止することができる。また、周長が異なる積載物であっても、使用するベルトの長さを変更することで同様に適用可能となるものである。さらに、作業は一人でも荷崩れを防止するための十分な締め付けを行うことができるようになり、その構造上、小物の荷こぼれの原因になったり、締め具のベルトに力が集中し、ダンボール製の荷物の破損原因になることがなく、その構造も簡単で、着脱が容易なものである。
【図面の簡単な説明】
【００３５】
【図１】本発明の荷崩れ防止ベルトの説明図である。
【図２】本発明の断面図である。
【図３】本発明の通常の長さで使用する場合の説明図である。
【図４】本発明の短い長さで使用する場合の説明図である。
【符号の説明】
【００３６】
１  本体ベルト
２  本体ベルト１の折り返し部
３  締め付けベルト
４、５、６、１３  保形芯材
７、８、９、１０  面ファスナー
１１  本体ベルト中ほどの開口部
１２、１４  端の開口部
１６  補強材
【図１】
2008189354.tif 000003
【図２】
2008189354.tif 000004
【図３】
2008189354.tif 000005
【図４】
2008189354.tif 000006